(57)【要約】      （修正有）【課題】巻取り収納直径を小さくできる傘を提供する。【解決手段】巻取り収納直径を小さくできる傘は、少なくとも１つの内層傘面領域１４に主定型固定片４０が設けられ、少なくとも１つの外層傘面領域１５にストリップ状の副定型固定片４１が設けられ、副定型固定片の長辺が縦方向折り目線１１に近接して設けられ、傘を閉じたときに副定型固定片が主定型固定片の横に位置する。ストリップ状の副定型固定片を設けるとともに、傘が収納されたときに副定型固定片が主定型固定片の横に位置することにより、内外の定型固定片が収納時にずれるので、主定型固定片と副定型固定片とが積み重なることがなく、従来の傘に比べ、収納時にほぼ１枚の定型固定片の厚さ分が減少され、これによって傘を巻いた後の傘の直径が小さくなる。【選択図】図２
0003229349.tif 000002
【実用新案登録請求の範囲】
【請求項１】
傘面、傘骨、中棒および定型固定片を含み、
傘骨は、上ろくろ、下ろくろおよび傘骨支持骨セットを含み、
傘骨支持骨セットの頂端は、上ろくろを介して中棒の頂端に設けられ、傘骨支持骨セットの底端は、下ろくろを介してにより中棒に嵌設されており、
傘骨支持骨セットは、複数の傘骨支持骨を含み、傘骨支持骨は、折り曲げ可能な傘骨支持骨であり、
傘面は、傘骨支持骨に設けられ、隣接する傘骨支持骨上の傘面は小間であり、小間は、１本の縦方向折り目線および１本以上の横方向折り目線を含み、
縦方向折り目線は、中棒の頂端を指し、横方向折り目線は縦方向折り目線と交差するように設けられ、横方向折り目線および縦方向折り目線によって小間は複数の領域に分けられ、１本の横方向折り目線は４つの領域と隣接し、４つの領域は、中棒に近い２つの内層傘面領域および中棒から離れる２つの外層傘面領域を含み、
少なくとも１つの内層傘面領域には主定型固定片が設けられ、少なくとも１つの外層傘面領域にはストリップ状の副定型固定片が設けられ、副定型固定片の長辺は縦方向折り目線に近接して設けられ、副定型固定片は傘が巻取り収納される際に主定型固定片の隣に位置される、ことを特徴とする巻取り収納直径を小さくできる傘。
【請求項２】
前記副定型固定片は「Ｌ」字状であり、
「Ｌ」字状副定型固定片の側辺は縦方向折り目線に近接して設けられ、「Ｌ」字状副定型固定片の底辺は主定型固定片から離間されて設けられている、ことを特徴とする請求項１に記載の巻取り収納直径を小さくできる傘。
【請求項３】
傘が収納される際、副定定型固定片は主定型固定片から１ｍｍ以上離れて主定型固定片の隣に位置される、ことを特徴とする請求項１または２に記載の巻取り収納直径を小さくできる傘。
【請求項４】
主定型固定片と副定型固定片との間の横方向折り目線は、傘面の最も外側の横方向折り目線である、ことを特徴とする請求項１に記載の巻取り収納直径を小さくできる傘。
【請求項５】
２つの内層傘面領域のいずれにも主定型固定片が設けられ、２つの外層傘面領域のいずれにも副定型固定片が設けられている、ことを特徴とする請求項１に記載の巻取り収納直径を小さくできる傘。
【請求項６】
前記定型固定片は平面状またはカール状である、ことを特徴とする請求項１に記載の巻取り収納直径を小さくできる傘。
【請求項７】
前記傘骨支持骨の数は、６または１２であり、あるいは、
前記傘骨支持骨は、三つ折り傘骨支持骨または五つ折り傘骨支持骨である、ことを特徴とする請求項１に記載の巻取り収納直径を小さくできる傘。
【請求項８】
前記定型固定片は、ＰＵ定型固定片、ＴＰＵ定型固定片、ＰＥＴ定型固定片、ＰＥ定型固定片、ＰＰ定型固定片、ＡＢＳ定型固定片、ＰＶＣ定型固定片またはシリカゲル定型固定片である、ことを特徴とする請求項１に記載の巻取り収納直径を小さくできる傘。
【請求項９】
前記傘は、手動傘、自動傘または電動傘である、ことを特徴とする請求項１に記載の巻取り収納直径を小さくできる傘。
【請求項１０】
前記傘は、雨傘または日傘である、ことを特徴とする請求項１に記載の巻取り収納直径を小さくできる傘。
【考案の詳細な説明】
【技術分野】
【０００１】
本考案は、傘の巻取り収納の技術分野に関し、特に巻取り収納直径を小さくできる傘に関する。
【背景技術】
【０００２】
従来の巻取り収納の傘の構造に関して、本出願人による出願番号が２０１７１０８４１２０６．０であり、発明の名称が「巻取り収納直径を小さくできる傘」である中国特許文献が開示されている。該文献における傘の主な構造は、傘面に定型固定片を設け、定型固定片により傘面が巻き取れるようにしている。しかしながら、実際の使用過程において、このような定型固定片の増設により、傘の重量および収納後の直径がともに増大され、持ち運びが不便である問題があった。
【考案の概要】
【考案が解決しようとする課題】
【０００３】
本発明は、従来技術における定型固定片を有する傘の重量および巻取り収納後の直径が大きいとの問題を解決するためになされたものであって、巻取り収納直径を小さくできる傘を提供することを目的とする。
【課題を解決するための手段】
【０００４】
前記目的を達成するための本考案に係る巻取り収納の直径を小さくできる傘は、
傘面、傘骨、中棒および定型固定片を含み、
傘骨は、上ろくろ、下ろくろおよび傘骨支持骨セットを含み、
傘骨支持骨セットの頂端は、上ろくろを介して中棒の頂端に設けられ、傘骨支持骨セットの底端は、下ろくろを介してにより中棒に嵌設されており、
傘骨支持骨セットは、複数の傘骨支持骨を含み、傘骨支持骨は、折り曲げ可能な傘骨支持骨であり、
傘面は、傘骨支持骨に設けられ、隣接する傘骨支持骨上の傘面は小間であり、小間は、１本の縦方向折り目線および１本以上の横方向折り目線を含み、
縦方向折り目線は、中棒の頂端を指し、横方向折り目線は縦方向折り目線と交差するように設けられ、横方向折り目線および縦方向折り目線によって小間は複数の領域に分けられ、１本の横方向折り目線は４つの領域と隣接し、４つの領域は、中棒に近い２つの内層傘面領域および中棒から離れる２つの外層傘面領域を含み、
少なくとも１つの内層傘面領域には主定型固定片が設けられ、少なくとも１つの外層傘面領域にはストリップ状の副定型固定片が設けられ、副定型固定片の長辺は縦方向折り目線に近接して設けられ、副定型固定片は傘が巻取り収納される際に主定型固定片の隣に位置される。
【０００５】
さらに、前記副定型固定片は「Ｌ」字状であり、
「Ｌ」字状副定型固定片の側辺は縦方向折り目線に近接して設けられ、「Ｌ」字状副定型固定片の底辺は主定型固定片から離間されて設けられている。
【０００６】
さらに、傘が収納される際、副定定型固定片は主定型固定片から１ｍｍ以上離れて主定型固定片の隣に位置される。
【０００７】
さらに、主定型固定片と副定型固定片との間の横方向折り目線は、傘面の最も外側の横方向折り目線である。
【０００８】
さらに、２つの内層傘面領域のいずれにも主定型固定片が設けられ、２つの外層傘面領域のいずれにも副定型固定片が設けられている。
【０００９】
さらに、前記定型固定片は平面状またはカール状である。
【００１０】
さらに、前記傘骨支持骨の数は、６または１２であり、あるいは、
前記傘骨支持骨は、三つ折り傘骨支持骨または五つ折り傘骨支持骨である。
【００１１】
さらに、前記定型固定片は、ＰＵ定型固定片、ＴＰＵ定型固定片、ＰＥＴ定型固定片、ＰＥ定型固定片、ＰＰ定型固定片、ＡＢＳ定型固定片、ＰＶＣ定型固定片またはシリカゲル定型固定片である。
【００１２】
さらに、前記傘は、手動傘、自動傘または電動傘である。
【００１３】
さらに、前記傘は、雨傘または日傘である。
【００１４】
本考案によれば、ストリップ状の副定型固定片を設けるとともに、傘を収納する際、副定型固定片が主定型固定片の隣に位置されるため、内層および外層の定型固定片が収納時にずらされ、積み重なることがない。したがって、従来の傘に比べ、本考案に係る２つの定型固定片によれば、収納時にほぼ１枚の定型固定片の厚さ減少され、これによって、傘を巻取り収納した後の直径が小さくなる。また、ストリップ状の副定型固定片の面積は従来の定型固定片よりも大幅に減少されるため、重量は大幅に軽くなる。さらに、本考案に係る傘は、巻き取りを容易にする機能を有するため、傘の巻き取りが便利である。
【図面の簡単な説明】
【００１５】
【図１】傘の外側面の構造を示す図である。
【図２】傘の内側の立体構造を示す図である。
【図３】傘の内側の正面構造を示す図である。
【図４】小間内の定型固定片の構造を示す図である。
【図５】小間の横方向折り目線が折れた後の構造を示す図である。
【図６】小間の縦方向折り目線が折れた後の構造を示す図である。
【図７】傘が巻取り収納された後の定型固定片の構造を示す図である。
【考案を実施するための形態】
【００１６】
以下、図面を参照しながら、具体的な実施例により本考案に係る課題を解決するための手段の技術内容、構造特徴、目的および効果について詳しく説明する。
【００１７】
図１から図７に示すように、本実施例に係る巻取り収納直径を小さくできる傘は、傘面１、傘骨２、中棒３および定型固定片４を含み、傘骨は、上ろくろ２０、下ろくろ２１および傘骨支持骨セット２２を含み、傘骨支持骨セットの頂端は、上ろくろを介して中棒の頂端に設けられ、傘骨支持骨セットの底端は、下ろくろを介して中棒に嵌設されており、傘骨支持骨セットは、複数の傘骨支持骨セットを含み、傘骨支持骨は、折り曲げ可能な傘骨支持骨である。下ろくろが中棒上を上から下へ摺動するとき、傘骨支持骨は折り畳まれるとともに緊縮され、傘面は収納される。下ろくろが中棒上を下から上へ摺動するとき、傘骨支持骨は伸張され、傘面は開かれる。傘面は、例えば、糸やバンドにより傘骨支持骨に縛られるような方法によって傘骨支持骨に設けられる。隣接する傘骨支持骨上の傘面は小間１０であり、小間は１本の縦方向折り目線１１および１本以上の横方向折り目線１２を含み、縦方向折り目線は中棒の頂端を指し、傘面上の全ての縦方向折り目線は中棒の頂端（傘面の中心点）から外側へ延びるように、傘の円周に沿って放射状に設けられている。横方向折り目線は縦方向折り目線と交差するように設けられ、横方向折り目線および縦方向折り目線によって小間は複数の領域１３に分けられ、１本の横方向折り目線（１本の縦方向折り目線において１点で交差する左右両側の横方向折り目線）は４つの領域と隣接する。４つの領域は、中棒に近い２つの内層傘面領域１４および中棒から離れる２つの外層傘面領域１５を含み、少なくとも１つの内層傘面領域には主定型固定片４０が設けられ、少なくとも１つの外層傘面領域にはストリップ状の副定型固定片４１が設けられている。副定型固定片の長辺は縦方向折り目線に近接して設けられ、副定型固定片は傘が巻取り収納される際に主定型固定片の隣に位置される。
【００１８】
上記実施例において、定型固定片は、主定型固定片および副定型固定片を含み、傘面を滑らかに整えることを保証し、収納を容易にするためのものである。主定型固定片の形状は、それが位置する小間領域の形状に合わせてよく、すなわち、４辺が小間領域の４周にフィットすることにより、主定型固定片は、それが位置する領域の傘面を支持でき、傘面が滑らかに整えられる。主定型固定片は、中実な定型固定片であってもよいが、内側が中空であってもよく、これによって、重量が低減される。副定型固定片はストリップ状であり、すなわち、長辺および短辺を有し、長辺は短辺よりも遥かに長い。例えば、長辺の長さは短辺の長さの３倍以上であってもよい。傘が収納される際、副定型固定片は主定型固定片の隣に位置し、すなわち、副定型固定片は主定型固定片からずらされて、すなわち、主定型固定片は副定型固定片が位置する領域の空き箇所（すなわち、副定型固定片がない箇所）に位置されることにより、主定型固定片と副定型固定片とが重なり合うまたは積み重ねることがないため、厚さが低減され、傘の巻取り収納直径を小さくできる。
【００１９】
本実施例において、副定型固定片は、真っ直ぐなストリップ状または湾曲したストリップ状、例えば、「Ｌ」字状等であってもよい。つまり、長辺は直線またはＬ字状線でなくてもよく、他の形状であってもよい。このような湾曲したストリップ状の他の部分は、小間領域の他の部分を定型でき、これによって、小間領域の他の部分が滑らかに整えられる。具体的には、図２−７に示すように、「Ｌ」字状の副定型固定片の側辺は縦方向折り目線に近接して設けられ、「Ｌ」字状副定型固定片の底辺は主定型固定片から離間されて設けられる。このようにして、底辺は小間領域の外側の傘面について形を滑らかに整えることができる。また、「Ｌ」字状副定型固定片の底辺は、傘が巻取り収納されたとき、主定型固定片との間において一定の間隔を有することで、積み重ねが回避され、厚さが低減されるとともに傘の巻取り収納直径を小さくできる。
【００２０】
使用過程において主定型固定片と副定型固定片とが重ならないようにするため、傘が収納される際、副定型固定片は主定型固定片の隣に位置されるとともに両者の間隔が１ｍｍ以上となるように設けられる。これによって、使用する際に、副定型固定片および主定型固定片の変位（位置ずれ）のために一定の間隔が確保され、可能な限り積み重ねが回避される。さらに、製造過程による定型固定片の変位という問題も解決される。
【００２１】
多段式折り畳み傘の実施例において、横方向折り目線は複数本ある。例えば、三つ折り傘は、隣接する傘骨支持骨上の傘面には横方向折り目線が２本あり、すなわち、横方向折り目線の数は傘の折り数から１を引いたものである。主定型固定片と副定型固定片との間の横方向折り目線は、そのうちのいずれか１本または複数本であってもよい。好ましくは、主定型固定片と副定型固定片との間の横方向折り目線は、傘面の最も外側の横方向折り目線である。最も外側の横方向折り目線は、中棒の頂端から最も離れた横方向折り目線であり、ここの小間領域の面積がさらに広く、この領域を傘収納時の重点位置とみなすことができる。この領域に主・副定型固定片を設けることにより、可能な限り傘の自動収納效果を向上できる。他の位置には定型固定片を設けなくてもよい。これによって、巻取り収納された傘の直径および重量が低減される。このように定型固定片をずらして設ける方法および重点位置により支持、形を整えることによって、傘の巻取り収納直径を小さくできるとともに、固定片に起因される傘の巻取り収納直径が大きくなることや重くなることが回避され、傘面を滑らかに整える機能および自動収納機能を同時に実現できる。
【００２２】
本実施例において、主定型固定片は１つまたは２つ設けられてもよく、副定型固定片も１つまたは２つ設けられてもよい。好ましくは、いずれも２つ設けられる。すなわち、図２から４に示すように、２つの内層傘面領域のいずれにも主定型固定片が設けられ、２つの外層傘面領域のいずれにも副定型固定片が設けられている。このようにして、傘の自動収納の効果がさらに向上される。定型固定片が設けられた小間は、一部の小間または全ての小間であってもよいが、好ましくは全ての小間である。これによって、収納効果がさらに良好である。
【００２３】
上記全ての実施例において、定型固定片は、傘面を滑らかに整えるための固定片であり、その自体の曲げ抵抗性は傘面よりも大きいため、傘面は定型固定片の支持にさらに為らかに整えられる。また、定型固定片の厚さが薄いため、傘を巻取り収納したときに折り曲げられる。上記定型固定片は、平面状またはカール状である。平面状であることで、傘を収納するときに傘面が自動的に整えられ、後は使用者が巻くだけでよい。カール状の定型固定片により、傘を収納するときに、異なる層の傘面は互いに重なり合い、重なり合うときに、定型固定片の湾曲方向が同じであるため、傘を巻取り収納するときに、傘面は弧状の定型固定片に応じて自動的に巻かれ、後はバンドで締めるだけでよい。定型固定片は、塗布印刷または貼り付けにより傘面に設けられてもよい。塗布印刷は、ペースト状のポリマー、溶融ポリマーまたはポリマー溶融液を紙、布、プラスチックフィルムに塗布して複合材料（フィルム）を作製する方法である。例えば、ＰＶＣペーストを布にブレードコーティングすることで人工皮革を作製するブレードコーティング法、紙にキャストコーティングするキャストコーティング法、押出されたフラットフィルムを基材に塗布する押出コーティング法、塗料を基材に均等にブラシングするブラシコーティング法、ロールコーティング法、スプレーコーティング法、パウダーコーティング法等が挙げられる。塗布の方法は、ドライコーティング、ナイフコーティング、デジタル印刷又は熱転写等であってもよい。本実施例において、定型固定片を傘面にホットプレスして貼り付ける方法を採用する。これによって、傘面に対する加工が速くなる。
【００２４】
定型固定片の材料は、ＰＵ、ＴＰＵ、シリコン材料、プラスチック、ＰＥＴ、ＰＥ、ＰＰ、ＡＢＳまたはＰＶＣ等の材料であってもよい。つまり、上記定型固定片は、ＰＵ定型固定片、ＴＰＵ定型固定片、ＰＥＴ定型固定片、ＰＥ定型固定片、ＰＰ定型固定片、ＡＢＳ定型固定片、ＰＶＣ定型固定片またはシリカゲル定型固定片であってもよい。ＰＵ（ｐｏｌｙｕｒｅｔｈａｎｅ）はポリウレタンの略称であり、高分子材料である。ＴＰＵ（Ｔｈｅｒｍｏｐｌａｓｔｉｃ  ｐｏｌｙｕｒｅｔｈａｎｅｓ）は、熱可塑性ポリウレタンエラストマーゴムである。ＰＥＴ（Ｐｏｌｙｅｔｈｙｌｅｎｅ  ｔｅｒｅｐｈｔｈａｌａｔｅ）はポリエチレンテレフタレートである。ＰＥはポリエチレン（ｐｏｌｙｅｔｈｙｌｅｎｅ）であり、エチレンを重合して製造された熱可塑性樹脂である。ＰＰ（Ｐｏｌｙｐｒｏｐｙｌｅｎｅ）はポリプロピレンであり、プロピレンを重合して得られた熱可塑性樹脂である。ＡＢＳ（ａｃｒｙｌｏｎｉｔｒｉｌｅ−ｂｕｔａｄｉｅｎｅ−ｓｔｙｒｅｎｅ  ｃｏｐｏｌｙｍｅｒ）は合成樹脂である。ＰＶＣ（ｐｏｌｙｖｉｎｙｌ  ｃｈｌｏｒｉｄｅ）は化学工業分野では化合物であるポリ塩化ビニルを指す。定型固定片は異なる材料により作製できるとともに、定型固定片は柔らかい材料により製造することができるため、定型固定片が傘布を破損させること、または使用者が定型固定片により傷つけられることが回避される。定型固定片が傘布に貼り付けまたは塗布により設けられ得ることにより、傘布の異なる位置に応じて形状を設計することができ、これによって、傘布の厚さを異ならせ、傘布の異なる位置の硬さを異らせることができ、傘を巻き取る際の速度が速くなる。傘面の外面又は内面にＰＵのような材料が全面に塗布されてもよい。これによって、抗ＵＶ（Ｕｌｔｒａｖｉｏｌｅｔ、紫外線）の目的が達成される。
【００２５】
定型固定片は初期形状に完成された後、ホットローラープレスにより定型固定片を定型してローラープレスし、さらに定型固定片を硬化させる。硬化は、ＵＶ硬化、熱硬化または自然硬化などであってもよい。最後に、成形した定型固定片を貼り付ける。貼り付けは、人工貼り付け、自動貼り付け、ホットプレス又は縫合貼り付け等であってもよい。これによって、定型固定片を傘面に貼り付ける。傘を閉じる際に、定型固定片により自動的に巻くことができるとともに、定型固定片により傘面における定型固定片がある位置の強度が増大するため、巻くときに傘面は平らに保持され、傘面を素速く整理する効果が得られる。
【００２６】
本実施例の傘は、様々な傘の形態であってもよい。例えば、傘骨支持骨の数は６ないし１２であり、あるいは、上記傘骨支持骨は三つ折り傘骨支持骨または五つ折り傘骨支持骨である。傘の機能によって、本実施例の傘は手動傘、自動傘または電動傘であってもよい。あるいは、傘は雨傘または日傘であってもよい。中棒にはハンドル５が設けられてもよい。ハンドルにより、傘を持ちやすくなる。自動傘または電動傘の場合、ハンドルにボタンスイッチが設けられれてもよい。ボタンスイッチにより傘の開閉を制御することができ、傘の使用が便利になる。傘を巻いた後、バンドで縛り、傘袋に入れればよい。
【符号の説明】
【００２７】
１  傘面、
１０  小間、
１１  縦方向折り目線、
１２  横方向折り目線、
１３  傘面領域、
１４  内層傘面領域、
１５  外層傘面領域、
２  傘骨、
２０  上ろくろ、
２１  下ろくろ、
２２  傘骨支持骨セット、
３  中棒、
４  定型固定片、
４０  主定型固定片、
４１  副定型固定片。
【図１】
0003229349.tif 000003
【図２】
0003229349.tif 000004
【図３】
0003229349.tif 000005
【図４】
0003229349.tif 000006
【図５】
0003229349.tif 000007
【図６】
0003229349.tif 000008
【図７】
0003229349.tif 000009